【手続補正書】
【提出日】平成18年4月18日(2006.4.18)
【手続補正１】
【補正対象書類名】明細書
【補正対象項目名】特許請求の範囲
【補正方法】変更
【補正の内容】
【特許請求の範囲】
【請求項１】  金属薄板（４、４）を接合して構成されるチューブ（２）を有し、前記チューブ（２）には、前記金属薄板（４、４）の長手方向の端部から外方へ筒状に突出するように成形され、冷媒の分配、集合を行うタンク部（４２〜４５）と、このタンク部（４２〜４５）からの冷媒が流れる冷媒流路（２ａ、２ｂ）とを形成し、
前記チューブ（２）は多数積層され、前記チューブ（２）の積層方向に隣接する前記タンク部（４２〜４５）は互いに連通され、積層された前記チューブ（２）の相互間には空気と冷媒との熱交換をするフィン（７）が配置される積層型蒸発器において、
前記チューブ（２）の積層方向に隣接する前記タンク部（４２〜４５）のうち、一方の挿入側タンク部（４２、４３）の頂部には、タンク内方へ、前記チューブ（２）の積層方向に対して直角に突出する挿入側当接部（４２ａ、４３ａ）が一体に成形され、前記チューブ（２）の積層方向に隣接する前記タンク部（４２〜４５）のうち、他方の被挿入側タンク部（４４、４５）の内面には、タンク内方へ、前記チューブ（２）の積層方向に対して直角に突出する被挿入側当接部（４４ａ、４５ａ）が一体に成形され、前記挿入側タンク部（４２、４３）を前記被挿入側タンク部（４４、４５）に挿入することにより、前記挿入側当接部（４２ａ、４３ａ）は前記被挿入側当接部（４４ａ、４５ａ）に当接することを特徴とする積層型蒸発器。
【請求項２】  前記挿入側タンク部（４２、４３）の外面と、前記被挿入側タンク部（４４、４５）の内面とはろう付けにより結合され、前記被挿入側タンク部（４４、４５）には、前記挿入側タンク部（４２、４３）の外面側に位置する拡大部（４４ｂ、４５ｂ）が一体に成形され、前記拡大部（４４ｂ、４５ｂ）は、前記被挿入側タンク部（４４、４５）の頂部に近づくにしたがってタンク径方向の外方へ広がる形状であることを特徴とする請求項１に記載の積層型蒸発器。
【請求項３】  前記挿入側タンク部（４２、４３）の外周面を前記被挿入側タンク部（４４、４５）の内周面に締まり嵌めにより嵌合することを特徴とする請求項１または２に記載の積層型蒸発器。
【請求項４】  前記被挿入側タンク部（４４、４５）の頂部はタンク外方へプレスされて曲げられており、前記被挿入側タンク部（４４、４５）の内周にはＲ形状の拡大部（４４ｂ、４５ｂ）が成形されており（００３３）、
前記挿入側タンク部（４２、４３）の外面と前記被挿入側タンク部（４４、４５）の内面との間のろう付け代（Ｌ１）と、前記挿入側タンク部（４２、４３）の外面と前記拡大部（４４ｂ、４５ｂ）の内面との間のフィレットとによってろう付けされている（００３８）ことを特徴とする請求項１ないし請求項３のいずれかに記載の積層型蒸発器。
【請求項５】  金属薄板（４、４）を接合して構成されるチューブ（２）を有し、前記チューブ（２）には、前記金属薄板（４、４）の長手方向の端部から外方へ筒状に突出するように成形され、冷媒の分配、集合を行うタンク部（４２〜４５）と、このタンク部（４２〜４５）からの冷媒が流れる冷媒流路（２ａ、２ｂ）とを形成し、
前記チューブ（２）は多数積層され、前記チューブ（２）の積層方向に隣接する前記タンク部（４２〜４５）は互いに連通される積層型蒸発器において、
前記チューブ（２）の積層方向に隣接する前記タンク部（４２〜４５）のうち、一方の挿入側タンク部（４２、４３）の頂部には、タンク内方へ、前記チューブ（２）の積層方向に対して直角に突出する挿入側当接部（４２ａ、４３ａ）が一体に成形され、
前記チューブ（２）の積層方向に隣接する前記タンク部（４２〜４５）のうち、他方の被挿入側タンク部（４４、４５）の内面には、タンク内方へ、前記チューブ（２）の積層方向に対して直角に突出する被挿入側当接部（４４ａ、４５ａ）が一体に成形され、
前記挿入側タンク部（４２、４３）を前記被挿入側タンク部（４４、４５）に挿入することにより、前記挿入側当接部（４２ａ、４３ａ）は前記被挿入側当接部（４４ａ、４５ａ）に当接し、
前記被挿入側タンク部（４４、４５）の頂部はタンク外方へプレスされて曲げられており、前記被挿入側タンク部（４４、４５）の内周にはＲ形状の拡大部（４４ｂ、４５ｂ）が成形されており（００３３）、
前記挿入側タンク部（４２、４３）の外面と前記被挿入側タンク部（４４、４５）の内面との間のろう付け代（Ｌ１）と、前記挿入側タンク部（４２、４３）の外面と前記拡大部（４４ｂ、４５ｂ）の内面との間のフィレットとによってろう付けされている（００３８）ことを特徴とする積層型蒸発器。
【請求項６】  積層された前記チューブ（２）の相互間には空気と冷媒との熱交換をするフィン（７）が配置されることを特徴とする請求項５に記載の積層型蒸発器。
【手続補正２】
【補正対象書類名】明細書
【補正対象項目名】００１１
【補正方法】変更
【補正の内容】
【００１１】
請求項４に記載の発明では、前記被挿入側タンク部（４４、４５）の頂部はタンク外方へプレスされて曲げられており、前記被挿入側タンク部（４４、４５）の内周にはＲ形状の拡大部（４４ｂ、４５ｂ）が成形されており（００３３）、
前記挿入側タンク部（４２、４３）の外面と前記被挿入側タンク部（４４、４５）の内面との間のろう付け代（Ｌ１）と、前記挿入側タンク部（４２、４３）の外面と前記拡大部（４４ｂ、４５ｂ）の内面との間のフィレットとによってろう付けされている（００３８）ことを特徴とする。
請求項５に記載の発明では、金属薄板（４、４）を接合して構成されるチューブ（２）を有し、前記チューブ（２）には、前記金属薄板（４、４）の長手方向の端部から外方へ筒状に突出するように成形され、冷媒の分配、集合を行うタンク部（４２〜４５）と、このタンク部（４２〜４５）からの冷媒が流れる冷媒流路（２ａ、２ｂ）とを形成し、
前記チューブ（２）は多数積層され、前記チューブ（２）の積層方向に隣接する前記タンク部（４２〜４５）は互いに連通される積層型蒸発器において、
前記チューブ（２）の積層方向に隣接する前記タンク部（４２〜４５）のうち、一方の挿入側タンク部（４２、４３）の頂部には、タンク内方へ、前記チューブ（２）の積層方向に対して直角に突出する挿入側当接部（４２ａ、４３ａ）が一体に成形され、
前記チューブ（２）の積層方向に隣接する前記タンク部（４２〜４５）のうち、他方の被挿入側タンク部（４４、４５）の内面には、タンク内方へ、前記チューブ（２）の積層方向に対して直角に突出する被挿入側当接部（４４ａ、４５ａ）が一体に成形され、
前記挿入側タンク部（４２、４３）を前記被挿入側タンク部（４４、４５）に挿入することにより、前記挿入側当接部（４２ａ、４３ａ）は前記被挿入側当接部（４４ａ、４５ａ）に当接し、
前記被挿入側タンク部（４４、４５）の頂部はタンク外方へプレスされて曲げられており、前記被挿入側タンク部（４４、４５）の内周にはＲ形状の拡大部（４４ｂ、４５ｂ）が成形されており（００３３）、
前記挿入側タンク部（４２、４３）の外面と前記被挿入側タンク部（４４、４５）の内面との間のろう付け代（Ｌ１）と、前記挿入側タンク部（４２、４３）の外面と前記拡大部（４４ｂ、４５ｂ）の内面との間のフィレットとによってろう付けされている（００３８）ことを特徴とする。
請求項６に記載の発明では、積層された前記チューブ（２）の相互間には空気と冷媒との熱交換をするフィン（７）が配置されることを特徴とする。
なお、上記各手段の括弧内の符号は、後述する実施形態に記載の具体的手段との対応関係を示すものである。